(57)【要約】【課題】緊張力が導入された状態の緊張材の中間部分で周囲にある構造物に該緊張材を定着する中間定着構造を良好な施工性で形成する。【解決手段】分離可能で対となる半割ブロック３，４を互いに結合して定着ブロックが形成され、双方の半割ブロック間に形成された中空孔６に緊張材９が挿通されている。そして、中空孔内に挿通された緊張材と中空孔の内周面との間に充填されて硬化した充填材１０によって定着ブロック２と緊張材とが結合されている。この定着ブロックは緊張材の緊張力を伝達するように構造物に定着されている。緊張材の中空孔内に挿入された部分の外周面には、金属溶射によって付着した金属で複数の凸部が形成されており、これらの凸部が硬化した充填材に埋め込まれている。【選択図】図１
2018017029.tif 000002
【特許請求の範囲】
【請求項１】
互いに分離可能で対となる半割ブロックを結合して定着ブロックが形成され、
対となる前記半割ブロック間に形成された中空孔に緊張材が挿通されており、
前記緊張材と前記中空孔の内周面との間に充填されて硬化した充填材によって前記定着ブロックと前記緊張材とが結合され、
前記定着ブロックが前記緊張材の緊張力を伝達するように構造物に定着されており、
前記緊張材の前記中空孔内に挿入された部分の外周面に、金属溶射によって付着した金属で複数の凸部が形成されていることを特徴とする緊張材の中間定着構造。
【請求項２】
前記中空孔の内周面には複数の凸部又は凹部が形成されていることを特徴とする請求項１に記載の緊張材の中間定着構造。
【請求項３】
前記中空孔は断面の狭窄部を有することを特徴とする請求項１又は請求項２に記載の緊張材の中間定着構造。
【請求項４】
対となる前記半割ブロックは、前記緊張材の軸線方向に配列された複数列のボルトによって互いに結合されており、
前記半割ブロックの少なくとも一方は、前記緊張材の軸線方向に配列された複数の小ブロックに分割され、
前記緊張材の両側に配置された少なくとも一対の前記ボルトによってそれぞれの前記小ブロックが対向する他方の半割ブロックと結合されていることを特徴とする請求項１から請求項３までのいずれかに記載の緊張材の中間定着構造。
【請求項５】
前記半割ブロックの一方が複数に分割され、これらの小ブロックのうちの少なくとも二つが、他方の半割ブロックの複数に分割された小ブロックの一つ、又は分割されていない単一の半割ブロックと結合されていることを特徴とする請求項４に記載の緊張材の中間定着構造。
【発明の詳細な説明】
【技術分野】
【０００１】
本発明は、すでに緊張力が導入され、両端部が構造物に定着されている緊張材の中間部分に中間定着具を取り付け、該緊張材に緊張力が導入された状態を維持したまま周囲にある構造物に定着する緊張材の中間定着構造に関するものである。
【背景技術】
【０００２】
コンクリート構造物には埋設された緊張材の緊張力によってプレストレスが導入されているものがある。このようなコンクリート構造物は、補修、補強又は改修等のために一部の撤去が必要となる場合がある。例えば、橋桁の幅方向の一部を撤去し、残った部分で交通を維持しながら一部を新しい橋桁に架け代えることがある。また、橋桁の軸線方向の一部、例えば桁端部が劣化して補修が必要となったときに桁端部を一旦除去し、新たにコンクリートを打設して補修することがある。この他、建築物の一部を解体することもある。このようなときに、コンクリート構造物の撤去する部分と残す部分とにわたって連続する緊張材が配置され、プレストレスが導入されていると、緊張材の中間部分を露出させ、中間定着具を取り付けて残す部分のコンクリートに定着することが行われる。そして、コンクリート構造物の残す部分には緊張力が導入された状態の緊張材を維持し、撤去する部分の緊張材を切断するとともにコンクリート構造物を撤去することが行われている。
【０００３】
このように緊張力が導入された状態の緊張材を中間部分で定着する中間定着具として、例えば特許文献１又は特許文献２に開示されるものがある。
特許文献１に記載の中間定着具は、緊張材が露出された部分に２つの半筒状部材を互いに結合して装着し、これらの間に膨張性グラウトを充填・硬化させて緊張材に固着させるものとなっている。そして、２つの半筒状部材からなる定着具をコンクリート構造物の残す部分と一体となった支圧層に当接させて緊張材を定着する。
特許文献２に記載の中間定着具は、２つの半割り鋼スリーブを併せてなる鋼管スリーブを露出したＰＣ鋼材に装着し、これらの半割り鋼スリーブの周囲に複数の板状Ｃ型部材を嵌め合わせて２つの半割り鋼スリーブを互いに固定する。そして、鋼管スリーブ内に膨張材を流し込んで膨張圧により鋼管スリーブとＰＣ鋼材とを一体化するものとなっている。
【先行技術文献】
【特許文献】
【０００４】
【特許文献１】特開平６−１０１３４４号公報
【特許文献２】特開２００７−２７７８２６号公報
【発明の概要】
【発明が解決しようとする課題】
【０００５】
しかしながら上記先行技術では、次のような解決が望まれる課題がある。
上記先行技術は、筒状となった部材と緊張材との間に充填材が充填され、この充填材が硬化する時の膨張圧を利用して筒状となった部材と緊張材を一体化するものである。このため、充填材が硬化したときに適正な膨張圧が生じていなければならず、充填材の硬化時における厳重な温度管理が必要となって施工性が良好ではない。
また、充填材を介して緊張材を保持する筒状の部材は、充填材の膨張圧に耐え得るとともに緊張材の緊張力を構造物等に伝達することができる強固なものが必要となり、鋼部材とすると重量が大きくなる。このため緊張力が導入されている緊張材の周囲に設置するときの作業性が悪くなっている。
【０００６】
本発明は、上記のような事情に鑑みてなされたものであり、緊張材に中間定着具を装着するときの施工性が良好な中間定着構造を提供することを目的とするものである。
【課題を解決するための手段】
【０００７】
上記課題を解決するために、請求項１に係る発明は、  互いに分離可能で対となる半割ブロックを結合して定着ブロックが形成され、  対となる前記半割ブロック間に形成された中空孔に緊張材が挿通されており、  前記緊張材と前記中空孔の内周面との間に充填されて硬化した充填材によって前記定着ブロックと前記緊張材とが結合され、  前記定着ブロックが前記緊張材の緊張力を伝達するように構造物に定着されており、  前記緊張材の前記中空孔内に挿入された部分の外周面に、金属溶射によって付着した金属で複数の凸部が形成されている緊張材の中間定着構造を提供する。
【０００８】
この緊張材の中間定着構造では、緊張材の表面に溶融した金属の飛沫が付着して凸部を形成しており、この緊張材と密接するように充填材が充填されているので、緊張材を定着ブロックから引き抜こうとする引張力が作用したときに、凸部が充填材とかみ合って緊張材が保持される。これにより、緊張材と充填材との間に大きな圧縮力が作用していなくても、緊張材を硬化した充填材から引き抜こうとする力に対して大きな耐力を有するものとなり、緊張材は充填材を介して定着ブロックに強固に保持される。つまり、硬化した充填材と緊張材との間に予め圧縮力を作用させておく必要がなく、定着ブロックの中空孔と緊張材との間に充填する充填材の管理が容易となる。
【０００９】
請求項２に係る発明は、請求項１に記載の緊張材の中間定着構造において、  前記中空孔の内周面には複数の凸部又は凹部が形成されているものとする。
【００１０】
この緊張材の中間定着構造では、定着ブロックに形成された中空孔の内周面に凸部又は凹部が形成されているので、硬化した充填材と上記凸部又は凹部とがかみ合わされ、これらの間で緊張材の軸線方向にずれが生じるのに強く抵抗する。したがって、緊張材を定着ブロックから引き抜こうとする力に対して大きな耐力を有するものとなる。また、定着ブロックは二つの半割ブロックが結合されたものであり、結合する前には中空孔の内周面が半割ブロックの接合面に開放された状態となっている。したがって、凸部又は凹部を形成する加工を容易に行うことができる。
【００１１】
請求項３に係る発明は、請求項１又は請求項２に記載の緊張材の中間定着構造において、  前記中空孔は断面の狭窄部を有するものとする。
【００１２】
この緊張材の中間定着構造では、緊張材を定着ブロックから引き抜こうとする力が作用したときに、中空孔の内周面と緊張材との間に充填されて硬化した充填材が中空孔の断面狭窄部で保持され、大きな抵抗力を有するものとなる。
【００１３】
請求項４に係る発明は、請求項１から請求項３までのいずれかに記載の緊張材の中間定着構造において、  対となる前記半割ブロックは、前記緊張材の軸線方向に配列された複数列のボルトによって互いに結合されており、  前記半割ブロックの少なくとも一方は、前記緊張材の軸線方向に配列された複数の小ブロックに分割され、  前記緊張材の両側に配置された少なくとも一対の前記ボルトによってそれぞれの前記小ブロックが対向する他方の半割ブロックと結合されているものとする。
【００１４】
この緊張材の中間定着構造では、半割ブロックが複数の小ブロックに分割されていることにより、重量が小さい小ブロックごとに緊張材の周囲に配置して定着ブロックを所定の位置に装着することができる。したがって、定着ブロックを緊張材の周囲に配置する作業の効率が向上する。
【００１５】
請求項５に係る発明は、請求項４に記載の緊張材の中間定着構造において、  前記半割ブロックの一方が複数に分割され、これらの小ブロックのうちの少なくとも二つが、他方の半割ブロックの複数に分割された小ブロックの一つ、又は分割されていない単一の半割ブロックと結合されているものとする。
【００１６】
この緊張材の中間定着構造では、対となる半割ブロックを互いに結合するためのボルトによって、分割された小ブロックを一体に結合することができる。
【発明の効果】
【００１７】
以上説明したように本発明の緊張材の中間定着構造では、定着ブロックと緊張材とを一体に結合する充填材の硬化時の管理が容易となり作業性が向上する。また、定着ブロックを構成する半割ブロックをさらに複数の小ブロックに分割することにより、定着ブロックを構成する個々の部材の重量を軽減し、緊張力が導入されている緊張材の周囲に設置する作業の効率が向上する。
【図面の簡単な説明】
【００１８】
【図１】本発明の一実施形態である緊張材の中間定着構造を示す側面図、正面図及び平面図である。
【図２】図１に示す緊張材の中間定着構造の断面図である。
【図３】金属溶射によって緊張材の表面に凸部を形成する状態を示す概略図である。
【図４】中間定着具に形成されている中空孔の内周面に形成された凸部の他の例を示す断面図及び正面図である
【図５】図１に示す緊張材の中間定着構造を使用して一部を解体した橋桁の概略断面図である。
【図６】図１に示す緊張材の中間定着構造で緊張材を定着する工程を示す概略断面図である。
【図７】図１に示す緊張材の中間定着構造で緊張材を定着する工程を示す概略断面図である。
【図８】図１に示す緊張材の中間定着構造で緊張材を定着する工程を示す概略断面図である。
【図９】図１に示す緊張材の中間定着構造で残存する構造物に緊張材を定着する他の態様を示す概略断面図である。
【図１０】本発明の他の実施形態である緊張材の中間定着構造を示す平面図及び断面図である。
【図１１】図１０に示す中間定着構造における小ブロックを接合して半割ブロックとする手段を示す正面図及び平断面図である。
【図１２】本発明の他の実施形態である緊張材の中間定着構造を示す側面図である。
【図１３】本発明に係る緊張材の中間定着構造の他の使用例を示す概略工程図である。
【図１４】本発明に係る緊張材の中間定着構造の他の使用例を示す概略工程図である。
【発明を実施するための形態】
【００１９】
以下、本発明の実施の形態を図に基づいて説明する。
図１は、本発明に係る緊張材の中間定着構造を示す側面図、正面図及び平面図であり、図２は、図１中に示すＡ−Ａ線及びＢ−Ｂ線における断面図である。
この緊張材の中間定着構造は、緊張力が導入されている緊張材９の中間部分に中間定着具１が装着され、この中間定着具１が構造物を形成するコンクリートに埋め込まれるものである。
中間定着具１は二つの半割ブロック３，４を結合して成る定着ブロック２を備えるものである。これら二つの半割ブロック３，４が緊張材を両側から挟み込むように対向し、結合されている。そして、半割ブロック３，４間に形成される中空孔６内に緊張材９が挿通された状態となっている。一方、緊張材９の中空孔６内にある部分には金属溶射によって金属の飛沫が付着し、凸部（図示しない）が形成されている。この緊張材９と定着ブロック２に形成された中空孔６の内周面と間に充填材１０が充填され、緊張材９の表面に形成された凸部を埋め込んだ状態で硬化している。
【００２０】
二つの半割ブロック３，４はいずれも鋼からなるものであり、外形がほぼ直方体となっている。そして、これらを重ね合わせて結合するときの対向面にそれぞれ断面がほぼ半円状となる溝が形成されており、これら二つの半割ブロック３，４を結合したときに、これらの半割ブロック３，４間に断面形状がほぼ円形で定着ブロック２を貫通する中空孔６が形成されるものとなっている。
【００２１】
中空孔６の内周面には、多数の凹部（図示しない）が形成されている。この凹部は、例えば、中空孔となる溝が形成された半割ブロック３，４に、切削ドリル等を用いて複数の穴を穿設することによって形成することができる。
【００２２】
また、上記中空孔６の内周面には上記凹部を設けるとともに、緊張材が引っ張られる方向Ｄの下流側端部に、断面の狭窄部１３が形成されている。この狭窄部１３は、中空孔６の内径が縮小されたものである。
【００２３】
二つの半割ブロック３，４にはそれぞれ複数のボルト孔７，８が設けられており、これらは二つの半割ブロック３，４の間に形成された中空孔６の両側に配列されている。そして、第１の半割ブロック３に設けられたボルト孔７は、結合手段であるボルト５を挿通して該ボルト４の頭部を孔内で係止することができるように内径が変化するものとなっている。また、第２の半割ブロック４には、上記ボルト５をねじ込むことができるボルト孔８、つまり内周面に雌ネジが切削されたボルト孔８が形成されている。したがって、第１の半割ブロック３側からボルト孔７に挿入したボルト５の先端部を第２の半割ブロック４に形成されたボルト孔８にねじ込み、締め付けることによって第１の半割ブロック３と第２の半割ブロック４とを一体に結合することができるものとなっている。
【００２４】
上記中空孔６は、二つの半割ブロック３，４を緊張力が導入された状態の緊張材９の両側から対向させ、緊張材９が溝内にある状態で結合することにより、緊張材９が挿通された状態とすることができるものである。
【００２５】
一方、緊張材９は中空孔６内となる部分に凸部が形成されている。この凸部は金属溶射によって形成されたものである。金属溶射は、ガスの燃焼又は電気エネルギーを用いて金属材料を溶融し、溶滴を気体とともに溶射の対象となる部材に吹き付けるものである。線状又は粉末状の金属をガスの燃焼によって溶融し、圧縮気体で溶滴を飛翔させるもの、アーク放電によって金属を溶融し、圧縮気体によって溶滴を吹き付けるもの、アークによって加熱したガスをノズルから噴射し、その中に金属の粉末を供給することによって溶融し、対象物に吹き付けるもの等を採用することができる。
【００２６】
また、溶射する材料は鋼、ステンレススチール、亜鉛又はこれらを含む合金等を用いることができる。
【００２７】
金属溶射によって緊張材９の表面に凸部を形成するには、例えば次にように溶射を行うことができる。なお、本発明では、緊張材９は鋼線、鋼より線又は鋼棒を用いる。
図３（ａ）に示すように、緊張材９に接近した位置にマスク１４を支持し、マスク１４を介して溶射装置１６により溶射を行う。マスク１４によって溶滴の飛翔が遮断される部分では緊張材の表面に溶滴が付着せず、マスク１４に設けられたスリット１４ａ又は小孔を通過した溶滴が緊張材９の表面に付着する。したがって、溶滴が付着した部分が付着していない部分より盛り上がって凸部１５となる。溶射による金属層が例えば溶射対象となる部材上で３ｍｍ程度となるまで積層することができるものであると、上記凸部１５はほぼ３ｍｍの高さで形成することができるものである。
また、図３（ｂ）に示すように溶射装置１６を移動して、所定の位置に集中して溶射することにより、凸部１７を形成することもできる。このような凸部１７も、ほぼ同様の高さで形成することができる。
【００２８】
上記のように凸部１５，１７が形成された緊張材９が定着ブロック２に形成された中空孔６に挿通された状態で、上記中空孔６の内周面と緊張材９との間に充填材１０が充填されている。充填材１０は充填後に硬化し、中空孔６内で緊張材９の凸部が形成された部分を埋め込んで該緊張材と定着ブロックとを結合するものとなっている。充填材は、例えば無収縮モルタルを用いることができる。また、コンクリート部材内に埋め込まれて緊張材が挿通されたシース内に充填されるグラウト材や膨張性のグラウト材等を用いることもできるが、大きな膨張圧を期待するものではなく、厳重な温度管理等を行う必要はない。
【００２９】
上記凸部を埋め込むように充填する充填材１０は、第１の半割ブロック３に設けられた注入口１１から注入することができる。注入口１１は緊張材９が引っ張られる方向Ｄの下流側に設けられている。この注入口１１から直接に、又はホースを接続して自然流下又は加圧によって注入することができる。
第１の半割ブロック３の、緊張材９が引っ張られる方向Ｄにおける上流側の端部付近には、排出口１２が設けられており、注入口１１から充填材１０を注入するときに、中空孔６内の空気を排出して充填材１０が円滑に注入されるものとなっている。
【００３０】
このような緊張材の中間定着構造では、中間定着具１の定着ブロック２が二つの半割ブロック３，４からなり、これらが結合手段であるボルト５によって結合されるものとなっているので、緊張力が導入されている状態の緊張材９の中間部分に容易に装着することができる。つまり、緊張材９の両側から二つの半割ブロック３，４を互いに当接し、結合することによって形成される中空孔６に緊張材９が挿通された状態となる。この中空孔６内に充填材１０を充填して緊張材９と一体に結合することができる。緊張材９に結合された定着ブロック２は構造物に固定することによって緊張材９の緊張力を、定着ブロック２を介して構造物に伝達することが可能となる。
【００３１】
そして、定着ブロック２が結合された位置より後方側、つまり緊張材９が中間定着具１に対して引っ張られる方向Ｄの上流側で緊張材９の緊張力を解放すると、下流側に導入されている緊張力が中間定着具１を介して構造物に伝達される。
このとき、中空孔６内の硬化した充填材１０は緊張材９に付着するとともに、緊張材９の表面に設けられている複数の凸部１５，１７とかみ合って緊張材９との間でずれることはなく、緊張材９が強固に保持される、また、中空孔６の内周面には複数の凹部が形成され、この凹部に入り込んで硬化している充填材１０とかみ合って、硬化した充填材１０は二つの半割ブロック３，４からなる定着ブロック２に強固に保持される。したがって、緊張材９の緊張力は硬化した充填材１０及び中間定着具１を介して構造物に定着される。
【００３２】
なお、上述した実施の形態では、定着ブロック２に形成される中空孔６の内周面には複数の凹部が形成されたものであったが、半割ブロックに溝を形成するときに周方向の溝を切削しておくものであってもよい。
また、中空孔の内周面には凹部に代えて又は凹部とともに凸部を設けるものであってもよい。凸部は、図４（ａ）に示すように緊張材９の軸線方向の溝を形成するときに周方向に連続する凸部１８を形成するものであってもよいし、点溶接によって小さな突起を多数設けるものであってもよい。周方向に延びる凸部１８を設けるときには、図４（ｂ）に示すように充填材を充填するときに中空孔６の内周面の最上位となる位置に緊張材９の軸線方向の溝１９を形成しておくのが望ましい。この溝１９は周方向の凸部が設けられた位置を越えて底面が緊張材の軸線方向に連続するものであり、中空孔６の内周面が急変する部分でも充填材１０が充填されない部分が生じるのを回避することができる。
【００３３】
次に上記緊張材の中間定着構造を用いて、緊張力が導入されている緊張材の一部の緊張力を解放する例について説明する。
図５は、本発明に係る緊張材の中間定着構造を用いてプレストレストコンクリートからなる橋桁の一部を撤去する例を示す概略断面図である。
この橋桁２０は複数の主桁２１を有するものであり、これらの主桁２１に支持される床版２２には幅方向に横締め緊張材２３が配置されている。この橋桁２０を老朽化等の理由によって架け代えるものであり、幅方向の約半分を残存させて車両等の交通を維持するとともに、約半分を撤去して新たな橋桁に架け代える。そして、新たな橋桁が完成すると、交通を新たな橋桁上に切り代え、最初に残存させた部分を撤去してこの部分も新たな橋桁に架け代えるものである。橋桁２０の幅方向の約半分を撤去するためには残存させる部分２０ａで横締め緊張材２３の緊張力を維持し、撤去する部分２０ｂではコンクリートを破砕するとともに横締め緊張材２３の緊張力を解放して切断することになる。
【００３４】
橋桁の一部撤去は次のような工程で行うことができる。
最初に、橋桁２０の幅方向におけるほぼ中央部でコンクリートを斫り、緊張材２３を露出させる。そして、図６（ａ）に示すように露出した緊張材２３に対し、溶射装置１６から金属の溶滴を射出し、マスク１４を介して吹き付ける。これにより、マスクのスリット又は小孔を通過した溶滴が緊張材２３に付着して凸部（図示しない）を形成する。このように凸部が形成された部分で、図５（ａ）及び図６（ｂ）に示すように、中間定着具１を装着する。二つの半割ブロック３，４は緊張力が導入されている緊張材２３の両側から中空孔となる位置に緊張材２３が挿通されるように配置し、互いに結合して支持する。
二つの半割ブロック３，４を結合して形成された中空孔６は、図７（ａ）に示すように両端に板材２４等を接着し、緊張材２３が挿通された状態で閉鎖する。そして、中空孔６内に注入口１１から充填材を注入する。
【００３５】
充填材が硬化した後、図７（ｂ）に示すように中間定着具１を埋め込むようにコンクリート２５を打ち戻して残存させる部分２０ａのコンクリートと一体とする。打設したコンクリート２５が硬化した後、図５（ｂ）及び図８に示すように、中間定着具１がコンクリート２５に埋め込まれた状態を維持したまま、撤去する部分２０ｂの橋桁を破砕し、緊張材２３は切断する。これにより緊張材２３に導入されている緊張力は中間定着具１を介して残存させる部分２０ａのコンクリートに定着され、残存させる部分では幅方向のプレストレスが導入された状態が維持される。
なお、装着された中間定着具１を埋め込むように打設するコンクリート２５に代えて、図９に示すように残存させる部分２０ａと一体となり、定着ブロック２の端面から力が伝達されるようにコンクリート２６を打設してもよい。また、このように打設するコンクリート２６と定着ブロック２との間には鋼プレート２７等を介挿することもできる。
【００３６】
図１０は、本発明の他の実施形態である緊張材の中間定着構造を示す平面図及び断面図である。
この緊張材の中間定着構造は、中間定着具３１の形態が異なるものであるが、図１及び図２に示す中間定着構造と同様に、中間定着具１が二つの半割ブロック３３，３４からなる定着ブロック３２と、二つの半割ブロック３３，３４を互いに結合して一体とする複数のボルト３５とを備える点は共通している。また、緊張材３６の中間定着具１が装着される部分に金属溶射による凸部（図示しない）が形成されている点でも共通している。そして、この中間定着構造では、図１及び図２に示される中間定着構造と異なり、中間定着具３１が備えている二つの半割ブロック３３，３４が、それぞれ複数に分割されている。つまり、分割された複数の小ブロックが緊張材３６の軸線方向に配列され、これらが結合されてそれぞれの半割ブロック３３，３４を形成している。それぞれの小ブロックは、第１の半割ブロック３３と第２の半割ブロック３４とで分割位置が同一となっており、同数の小ブロックがそれぞれ対となっている。
【００３７】
二つの半割ブロックを結合するボルト３５は、双方の半割ブロック３３，３４を構成する小ブロックであって対となるもののそれぞれについて、緊張材３６が挿通される位置の両側に少なくとも一本ずつが配置され、対となる小ブロック（３３ａ，３４ａ），（３３ｂ，３４ｂ），（３３ｃ，３４ｃ），（３３ｄ，３４ｄ）を互いに結合するものとなっている。
第１の半割ブロック３３に設けられてボルト３５が挿通されるボルト孔３７及び第２の半割ブロック３４に設けられてボルト３５の先端部がねじ込まれるボルト孔３８は、図１に示す中間定着具１と同様に設けられている。
【００３８】
対となる小ブロック（３３ａ，３４ａ），（３３ｂ，３４ｂ），（３３ｃ，３４ｃ），（３３ｄ，３４ｄ）を結合するときの対向面には、それぞれ溝が形成されており、これらを互いに結合したときに、これらの対となる小ブロック（３３ａ，３４ａ），（３３ｂ，３４ｂ），（３３ｃ，３４ｃ），（３３ｄ，３４ｄ）の間に断面形状がほぼ円形となる中空孔３９が形成されるものとなっている。そして、これらの小ブロック対を緊張力が導入されている緊張材３６の両側から対向させ、結合するとともに複数の小ブロック対を緊張材３６の軸線方向に連結することによって各小ブロック対に形成された中空孔３９が連続し、２つの半割ブロック３３，３４間に形成された中空孔内に緊張材３６が挿通された状態となるものである。
【００３９】
上記小ブロック対を連結して形成された連続する中空孔３９内には充填材の注入孔（図示しない）から充填材４０が充填される。そして、充填材４０が硬化することによって二つの半割ブロック３３，３４からなる定着ブロック３２と表面に凸部が形成された緊張材３６とが一体に結合されるものである。
【００４０】
小ブロック対の間に形成される中空孔３９は内径がほぼ一定となっているが、緊張材３６が引っ張られる方向Ｄにおける各小ブロック対の下流側端部に中空孔の断面の狭窄部４６が形成されている。これにより、中空孔３９の内周面と緊張材３６との間に充填され、硬化した充填材４０が緊張材３６から伝達される緊張力によって定着ブロック３２から抜け出るのを抑止するものとなっている。
また、図１０に示すように定着ブロック３２を貫通するように連続した中空孔３９内に複数の断面の狭窄部４６が形成されているときには、図１１（ａ）に示すように緊張材３６の軸線方向に連続する溝４７を形成しておくのが望ましい。この溝４７によって中空孔３９の断面が急変する部分でも充填材４０が流動しやすく、空間を残すことなく充填することが容易となる。
【００４１】
なお、分割された小ブロック３３ａ−ｄ，３４ａ−ｄのそれぞれには、図１１に示すように緊張材の軸線方向に小孔４１ａ，４１ｂを設けておき、この小孔４１ａ，４１ｂに長ボルト４２を挿通してナット４３で締め付けることにより小ブロック３３ａ−ｄ，３４ａ−ｄを連結してそれぞれの半割ブロック３３，３４とすることができる。また、小孔４１ａ，４１ｂとは別に、半割ブロックを構成するように接合される小ブロックの双方の接合面にピン穴４４ａ，４４ｂ設けておき、位置決めピン４５を挿入して双方の接合位置を正確に設定できるものとするのが望ましい。
【００４２】
このように半割ブロック３３，３４のそれぞれが複数の小ブロックに分割されている中間定着具３１では、小ブロック対ごとに緊張材３６の両側から対向させて結合することができ、小ブロックは分割によって重量が小さくなっているので緊張材３６が中空孔３９に挿通されるように結合する作業を効率よく行うことが可能となる。
【００４３】
半割ブロックを複数の小ブロックに分割するときに、図１２に示すように二つの半割ブロック間で分割位置を異なる位置とすることもできる。この中間定着具５１では、第１の半割ブロック５３を３分割とし、第２の半割ブロック５４を２分割としている。第１の半割ブロック５３は、４対のボルト対のうちの第１のボルト対５５ａと第２のボルト対５５ｂとの間及び第３のボルト対５５ｃと第４のボルト対５５ｄとの間で分割し、第２の半割ブロック５４は、第２のボルト対５５ｂと第３のボルト対５５ｃとの間で分割している。したがって、この中間定着具５１を緊張材５２の周囲に設置するときには、まず第１の半割ブロック５３の第１の小ブロック５３ａと第２の半割ブロック５４の第１の小ブロック５４ａとを第１のボルト対５５ａによって結合し、次に第２の半割ブロック５４の第１の小ブロック５４ａと第１の半割ブロック５３の第２の小ブロック５３ｂとを第２のボルト対５５ｂによって結合することができる。さらに、第１の半割ブロック５３の第２の小ブロック５３ｂと第２の半割ブロック５４の第２の小ブロック５４ｂとを第３のボルト対５５ｃによって結合し、第２の半割ブロック５４の第２の小ブロック５４ｂと第１の半割ブロック５３の第３の小ブロック５３ｃとを第４のボルト対５５ｄによって結合することによって、複数の小ブロックを結合するとともに２つの半割ブロック５３，５４を結合して緊張材５２の周囲に設置することが可能となる。
【００４４】
なお、図１２に示す例では第１の半割ブロック５３と第２の半割ブロック５４との双方を複数の小ブロックに分割しているが、第１の半割ブロック又は第２の半割ブロックのいずれか一方を複数に分割し、他方を分割することなく使用するものであってもよい。このときには分割された半割ブロックの各々の小ブロックを分割されていない他方の半割ブロックに順次に結合することができる。
【００４５】
以上に説明した緊張材の中間定着構造は、本発明の一実施形態であって、本発明はこれらに限定されるものではなく、本発明の範囲内で形状、寸法、ボルトの数、材料等を変更し、他の形態で実施することができる。また、本発明の中間定着構造の適用は、図５に示すような橋桁の横締め緊張材に限定されるものではなく、図１３及び図１４に示すように橋桁の軸線方向に配置された緊張材について使用することもできる。
【００４６】
図１３及び図１４に示す適用例は、プレストレストコンクリートからなる橋桁６１の端部が経年劣化して補修が必要になったときに、桁端部に限定して緊張材６２の緊張力を解放し、桁端部を破砕して新たなコンクリートを打設するのに中間定着具７１が用いられたものである。
このような適用例では、図１３に示すように橋桁６１の残存させる部分６１ａで緊張材の周囲のコンクリート６３を斫り、緊張材６２を露出させる。露出した緊張材６２には金属溶射によって凸部を形成し、この部分が中間定着具７１の中空孔内となるように中間定着具７１を装着する。そして、この中間定着具７１を埋め込むようにコンクリートを打設して橋桁の残存させる部分６１ａと一体とする。
打設したコンクリートが硬化した後、図１４（ａ）に示すように仮支柱６４によって橋桁６１を仮支持し、橋桁の端部６１ｂのコンクリートを破砕して除去するとともに中間定着具７１より端部側で緊張材６２の緊張力が解放された部分を切断する。切断した緊張材６２には、図１４（ｂ）に示すように新たな緊張材６５を接続して、桁端部の新たなコンクリート６６を打設する。そして、硬化後に接続した緊張材６４に緊張力を導入して橋桁端部の補修を完了する。
【符号の説明】
【００４７】
１：中間定着具，  ２：定着ブロック，  ３：第１の半割ブロック，  ４：第２の半割ブロック，  ５：ボルト，  ６：中空孔，  ７：第１の半割ブロックに設けられたボルト孔，  ８：第２の半割ブロックに設けられたボルト孔，  ９：緊張材，  １０：充填材，  １１：注入口，  １２：排出口，  １３：中空孔の断面狭窄部、  １４：マスク，  １５：金属の溶滴が付着した凸部，  １６：溶射装置，  １７：金属の溶滴が付着した凸部，  １８：凸部，  １９：溝，
２０：橋桁，  ２０ａ：橋桁の残存させる部分，  ２０ｂ：橋桁の撤去する部分，  ２１：主桁，  ２２：床版，  ２３：横締め緊張材，  ２４：中空孔を閉鎖する板材，  ２５：中間定着具を埋め込むコンクリート，  ２６：定着ブロックから力が伝達されるコンクリート，  ２７：鋼プレート，
３１：中間定着具，  ３２：定着ブロック，  ３３：第１の半割ブロック，  ３４：第２の半割ブロック，  ３５：ボルト，  ３６：緊張材，  ３７：第１の半割ブロックに設けられたボルト孔，  ３８：第２の半割ブロックに設けられたボルト孔，  ３９：中空孔，  ４０：充填材，  ４１：小孔，  ４２：長ボルト，  ４３：ナット，  ４４：ピン孔，  ４５：位置決めピン，  ４６：中空孔の断面の狭窄部，  ４７：溝，
５１：中間定着具，  ５２：緊張材，  ５３：第１の半割ブロック，  ５４：第２の半割ブロック，  ５５：ボルト対，
６１：橋桁，  ６２：緊張材，  ６３：緊張材を露出させるために斫るコンクリート，  ６４：仮支柱，  ６５：新たに接続した緊張材，  ６６：桁端部に打設したコンクリート，  ７１：中間定着具
【図１】
2018017029.tif 000003
【図２】
2018017029.tif 000004
【図３】
2018017029.tif 000005
【図４】
2018017029.tif 000006
【図５】
2018017029.tif 000007
【図６】
2018017029.tif 000008
【図７】
2018017029.tif 000009
【図８】
2018017029.tif 000010
【図９】
2018017029.tif 000011
【図１０】
2018017029.tif 000012
【図１１】
2018017029.tif 000013
【図１２】
2018017029.tif 000014
【図１３】
2018017029.tif 000015
【図１４】
2018017029.tif 000016